(57)【要約】  本発明は、ステッチ形成用の本縫いルーパーと協働する糸案内針によってそれぞれ形成されるステッチ形成工具と、前記針の運動に依存して行われる刺繍物と前記ステッチ形成工具との間の相対運動を生じさせる送り装置とを有している単頭または多頭刺繍機に関する。ステッチ形成段階と前記刺繍物の送り運動との時間的なオーバーラップを少なくさせるため、ｎを２よりも大きな整数としたとき、前記本縫いルーパーは上軸のｎ倍の回転数に相当する回転数で回転する。
2013521957.tif 000002
【特許請求の範囲】
【請求項１】
ステッチ形成用の本縫いルーパーと協働する糸案内針によってそれぞれ形成されるステッチ形成工具と、前記針の運動に依存して行われる刺繍物と前記ステッチ形成工具との間の相対運動を生じさせる送り装置とを有している単頭または多頭刺繍機において、
ステッチ形成段階と前記刺繍物の送り運動との時間的なオーバーラップを少なくさせるため、ｎを２よりも大きな整数としたとき、前記本縫いルーパーが上軸のｎ倍の回転数に相当する回転数で回転することを特徴とする単頭または多頭刺繍機。
【請求項２】
ステッチ形成用の本縫いルーパーと協働する糸案内針によってそれぞれ形成されるステッチ形成工具と、前記針の運動に依存して行われる刺繍物と前記ステッチ形成工具との間の相対運動を生じさせる送り装置とを有している単頭または多頭刺繍機において、
ステッチ形成段階と前記刺繍物の送り運動との時間的なオーバーラップを少なくさせるため、前記本縫いルーパーが上軸の角速度に対して周期的に変更可能な角速度で回転することを特徴とする単頭または多頭刺繍機。
【請求項３】
前記刺繍機上軸と前記本縫いルーパーとの間に、１：３の伝動比を持つ伝動装置が配置されていることを特徴とする、請求項１に記載の単頭または多頭刺繍機。
【発明の詳細な説明】
【技術分野】
【０００１】
本発明は、ステッチ形成用の本縫い（ダブルロックステッチ）ルーパーと協働する糸案内針によってそれぞれ形成されるステッチ形成工具と、前記針の運動に依存して行われる刺繍物と前記ステッチ形成工具との間の相対運動を生じさせる送り装置とを有している単頭または多頭刺繍機に関するものである。
【背景技術】
【０００２】
この場合に使用される本縫いルーパーは、１回のステッチ形成周期ごとに完全に２回転する回転ルーパーであり、ミシンにおいてスタンダードルーパーとして多用されているもので、非常に優れたものである。この本縫いルーパーはステッチ形成のために、特にステッチインサーションのためにある程度の糸緊張力を必要とする。
【０００３】
縫製される縫い目（縫製縫い目）および刺繍される縫い目（刺繍縫い目）に対する課題が異なっていることにより、ミシンに対する要請または刺繍機に対する要請の点で主要な相違がある。縫製縫い目はほとんどの場合２つまたはそれ以上の部分を互いに結合させる結合縫い目または固定縫い目であるが、刺繍縫い目は、力を全く伝達させる必要がないように刺繍布に取り付けられる装飾（装飾縫い目）である。
【０００４】
この場合、固定縫い目の強度は、ルーパーから垂れ下がっている糸輪を天秤により比較的大きな力で縫製物の表面方向へ引張ることで、上糸と下糸との結び目を被縫製物の層の中央に位置させることによって達成される。これに対応して下糸の糸力が測定される。
【０００５】
刺繍縫い目を形成する際の状況はこれとは全く異なっている。この場合には、上糸（刺繍糸）は装飾効果を得るために刺繍物上にきれいに載っている必要があるので、刺繍糸が刺繍布上で位置的に十分固定され、それにもかかわらずたるんだ糸部分が生じないように、且つ上糸と下糸との結び目が常に刺繍布の下面に位置するように、刺繍過程時の糸緊張力はできるだけ小さく保持される。
【０００６】
この理由から、刺繍機に対しては、上糸の緊張力がかなり小さくなるよう努力がはらわれる。
【０００７】
１回の刺繍形成周期ごとに２回転する本縫いルーパーを刺繍機に転用する際にその運動学を対応的に適合させなかったために、実際の刺繍機でも、刺繍形成過程がまだ完全に終了していない時点ですでに刺繍布の送り運動を投入する。これはきわめて不都合なことである。というのは、これによって、天秤による糸引き込み開始時点ですでに、針を刺繍布に穿刺する際の位置に比べて刺繍布がかなりの量ずれてしまうからである。その結果糸輪の、刺繍穴から糸備蓄部に至る脚部は、刺繍穴から出る場合も、刺繍布を貫通した直後にも、それぞれ付加的な転向を蒙る。これら２度の転向は天秤によって糸を引き込む際に付加的な抵抗を生じさせて、糸緊張最小力を必ず大きくさせるので望ましいものではない。
【０００８】
このような状況は、刺繍機がミシンに比べて一般に著しく大きなステッチ長さで作動する場合、および、送り方向が種々の方向に延びている場合ほど特に悪影響を及ぼす。
【発明の概要】
【発明が解決しようとする課題】
【０００９】
本発明の課題は、本縫い回転ルーパーを備えた刺繍機において、最小糸緊張力を所望の著しく低い範囲に保持することができるような解決手段を提供することである。
【課題を解決するための手段】
【００１０】
本発明は、本縫いルーパー刺繍機において、ステッチ形成がまだ完全に終わっていないときに、すなわち上糸が天秤によってまだ完全に引き込まれていないときに、すでに縫製物の送り運動が投入されるようにステッチ形成と縫製物の送り運動とが少なくとも部分的にオーバーラップするという認識から出発している。
【００１１】
前記課題を解決するため、ｎを２よりも大きな整数としたとき、本縫いルーパーを上軸のｎ倍の回転数に相当する回転数で回転させることで、ステッチ形成段階と刺繍物の送り運動との時間的なオーバーラップを回避することを提案する。
【００１２】
本縫いルーパーがたとえばｎ＝３で回転することにより、ステッチ形成は、刺繍機上軸が路破する回転角に関し、これによって本縫いルーパーの比較的大きな角速度が生じるために、ｎ＝２で本縫いルーパーが回転する場合よりも早く終了する。従って、ステッチ形成と刺繍布の送り運動とが同時にアクティブであるタイムウィンドウは最小になる。
【００１３】
１回のステッチ形成周期で２倍回転する本縫いルーパーは、高回転数のいわゆる高速縫いの分野で確実に満足のいく結果を生じさせるので、本発明に従って本縫いルーパーの回転数を増大させても、生じた縫い目の品質にも、機械的な保持性にも悪影響しないことは明らかである。
【００１４】
上述の解決手段では、本縫いルーパーは刺繍機上軸のｎ倍の一定の回転数で回転するのに対し、前記課題を解決するための本発明の他の解決手段によれば、本縫いルーパーを、刺繍機能を軸に対し周期的に変更可能な角速度で回転させる。この場合、作動回転中の本縫いルーパーの角速度は大きな値を有し、空回転中はこれよりも小さな値を有している。
【図面の簡単な説明】
【００１５】
次に、本発明を１実施形態に関し適当にグラフを用いて詳細に説明する。
【図１】本縫いルーパーを備えた通常の刺繍ヘッドの前部領域の部分断面図である。
【図２】ステッチ形成のためのタイムウィンドウと送り運動のためのタイムウィンドウとが時間的にオーバーラップしている、技術水準によるステッチ形成工具の運動と送り装置の運動との距離・時間グラフである。
【図３】本発明によるテッチ形成工具の運動と送り装置の運動との距離・時間グラフである。
【図４】技術水準による図２のタイムウィンドウ３１に対応する、本縫いルーパーのボビンケース担持体の回転支持部材（停止部材）を通過する際の糸輪の状況を説明する図である。
【図５】図４に対応する図であるが、刺繍フレームの送り運動が他の方向であるケースの図である。
【図６】本発明による図３のタイムウィンドウ３１に対応する、本縫いルーパーのボビンケース担持体の回転支持部材（停止部材）を通過する際の糸輪の状況を説明する図である。
【発明を実施するための形態】
【００１６】
図１には、通常の刺繍ヘッドの前部部分１が断面図で図示されている。この前部部分は、本縫いルーパー２と、テーブル板３と、針板４とを有している。テーブル板３上には、２つの軸線上を自在に運動可能な刺繍フレーム５が載置され、該刺繍フレームに刺繍布が締め付け固定される。本縫いルーパー２は通常の構成であり、ボビンケース７を受容するためのボビンケース担持体６を有している。ボビンケース７内には、下糸貯留部を受容するボビンが回転可能に支持されている。
【００１７】
本縫いルーパー２と協働し、針８を担持している針棒９は、鉛直方向に運動可能にベースフレーム１０内に受容され、針駆動部の駆動運動を針棒９に伝達させる駆動体１１によって公知の態様で駆動される。刺繍ヘッドの前部部分１には、さらに、刺繍糸ごとに１つの押さえ１２が設けられている。押さえは針棒９上に変位可能に配置され、駆動体１３によって駆動される。さらに、刺繍ヘッドの前部部分１には、公知の態様で駆動される天秤１４が配置されている。天秤は軸１５上に回動可能に支持され、軸１５はベースフレーム１０で受容されている。最後に刺繍ヘッドは、公知の態様で調整可能で、前部部分１に固設されている糸制動部１６を有している。
【００１８】
詳細に図示していない刺繍ヘッドの後部部分は機台と固定結合され、針棒９、押さえ１２、天秤１４のための駆動部を担持している。刺繍ヘッドの後部部分は、さらに、詳細に図示していない直線案内部を介して前部部分と結合され、その結果前部部分は、鉛直方向の面内において針棒９の整列方向に本縫いルーパー２の上方で変位することができ、その際１つの針棒９と１つの押さえ１２と１つの天秤１４とはそれぞれの駆動部と結合されている。
【００１９】
前記部材の駆動は、本縫いルーパー２の駆動部以外は、ステッチ形成周期ごとに完全に１回転する（３６０゜回転する）刺繍機上軸（図示せず）によって行われる。技術水準では、本縫いルーパー２は２倍の回転数（ｎ＝２）で回転するが、本発明によれば、本縫いルーパー２はｎ＝整数（２よりも大きな整数）で回転する。このため、本発明の図示した実施形態では、刺繍機上軸と本縫いルーパー２との間に、伝動比ｎ＝３の伝動装置が設けられている。
【００２０】
本発明の理解のため、まず図２を説明する。図２は、技術水準に従って２倍回転する本縫いルーパー２および図示していない送り装置並びに押さえ１２と針８との公知の運動学的協働と刺繍機上軸の１回転との関係を示す典型的な運動プログラムを示している。
【００２１】
グラフ１７は、針板の表面に対する針８の先端の運動を示している。針先端は時点１８でステッチ穴を通じて針板４の表面の下へ進入して、時点１９で再びその上へ持ち上げられる。
【００２２】
グラフ２０は、昇降運動と、針板４上方の押さえ１２の下面の間隔とを示している。
【００２３】
グラフ２１は、時点１８での刺繍布への最後の穿刺点に対する刺繍フレーム運動の経過を示している。
【００２４】
刺繍フレームの運動のスタートは時点２２で行われ、従って針８が針板４から出る時点に相当する時点１９の直後に行われる。刺繍フレームの運動の終了はグラフの終端と一致している。この運動関数のすべての値は、可変ステッチ長さ（最後の穿刺点１８から次の穿刺点までの間隔）を用いて一定のファクタとして直線状にスケーリングされている。
【００２５】
グラフ２３は針８の糸需要量を示し、その穴が下方へ移動して刺繍布表面に進入する時点２４で始まる。時点２５では、本縫いルーパー２の先端が針８によって形成される上糸をのなかへ進入し、これにより本縫いルーパー２は上糸をコントロールする用を成す。本縫いルーパーの糸需要量はグラフ２６によって示されている。本縫いルーパー２の先端はまず針８によって該本縫いルーパーに提供される糸輪を拡大させ、これを本縫いルーパー２の内部に配置されているボビンケース７のまわりに案内する。その後、ルーパーが時点２７で上糸を再び完全に解放するまで、本縫いルーパー２の糸需要量は再び減少する。すなわち本縫いルーパー２は、時点２５と時点２７との間の時間だけ上糸と接触する。これは３６０゜のステッチ形成周期の最大で１８０゜に相当し、残りの時間は本縫いルーパー２は空動きをし、すなわち本縫いルーパー２は次のステッチ形成周期でようやく上糸と接触する。
【００２６】
針８および本縫いルーパー２の糸需要量には、グラフ２８で示すような糸供給量が対立している。糸供給量は天秤１４の軸１５のまわりでの該天秤の回動位置の関数である。グラフ２８に対応する糸供給量は、糸需要量（２３，２６）に比べて過剰量を有している。この過剰量は、ステッチ長さに依存している糸消費量を前回のステッチサイクルから取り出すためのリザーブとして用いる。
【００２７】
糸供給量２８は前記糸消費量の分だけ少なくなっており、その結果有効糸供給量はグラフ２９と一致している。前記糸消費量は時点３０と天秤上死点ＦＨＯＴとの間の時間範囲で初めて天秤１４によって上糸備蓄部から引き出され、その際システム糸長（糸制動部１４から穿刺板４までの上糸の全長）は天秤１４の最高回動位置で再び新たに補償される。
【００２８】
ミシンのグラフとの相違は、刺繍フレームを運動させるためのタイムウィンドウの長さに関わる。ミシンの場合、タイムウィンドウはほぼ１２０゜である。ルーパー型刺繍機の場合は１８０゜およびそれ以上の場合もある。それ故、時点２２での刺繍機の運動開始時点は、技術水準の場合対応的に時間的に先行している。このことは、刺繍機構とは独立の、数値制御される刺繍フレーム駆動部には必要な要件であるが、必要とする糸緊張力に関しては、無視できない刺繍技術上の欠点である。
【００２９】
開始したステッチを完了させるために、天秤１４による糸引き込みの終了時点よりも時間的に以前に刺繍フレームの送り運動の開始時点を時間的に先行させると、糸引き込みが終了する前に刺繍布が穿刺板４に対し相対的に移動することになる。
【００３０】
図４に認められるように、ボビンケース担持体６の回転運動を阻止するため、該ボビンケース担持体には半径方向に配向される溝３４が設けられている。この溝には、突起を備えた停止部材３５が係合し、その結果上糸は停止部材３５と溝３４の側部境界面３６との間を通って運動することができる。ステッチ長さが２ｍｍ以上の場合、時点１８で針８の最後の穿刺点が刺繍布の移動によりグラフ２１に従って時間範囲３１で穿刺穴中心に対し１ミリメートル以上ずれると、天秤１４と溝３４と停止部材３５との間の経路上で上糸の２つの転向部３２，３３（図４）が生じる。刺繍布上方の上糸の領域で天秤１４のほうへ向けられる糸力Ｆ１は、まず転向部３２で、次に転向部３３で、全部で２段階で糸摩擦により減少する。残りは力Ｆ２である。力Ｆ２は、停止部材３５と溝３４の側部境界面３６との間の糸通路を開くために必要な力である。
【００３１】
力Ｆ２の大きさはステッチ形成プロセスによって設定されており、それ故変更不可能である。この力がシステムによって設定された値に再び達するようにするには、好ましい材料ペアリングで糸力Ｆ１をほぼ２．５のファクタＫでもって増大させねばならない。好ましくない材料ペアリングの場合（木綿糸／木綿から成る刺繍布）、このファクタＫは値４の傾向がある。このように高い糸力Ｆ１は天秤１４による糸引き込み時の糸制動部１６の最小抑止力に相当している。
【００３２】
図５には、天秤１４が糸輪を引き寄せて、停止部材３５の突起と溝３４の側部境界面３６との間の糸通路を開くタイムウィンドウ３１の状況が示されている。この場合、刺繍布の送り運動は図４での刺繍布の送り運動に比べて方向が逆であり、図５の矢印の方向に行われる。これは、縫製または刺繍を行う際にいわゆるループスレッドが生じる状況にほぼ相当している。この場合、上糸は下糸３７と絡むばかりでなく、自らとも絡む。ミシンの場合にはこの搬送方向および状況はほとんど生じない。
【００３３】
しかしながら、ルーパー型刺繍機の場合にはこれは通常的に生じる。糸転向部３２で集中的に絡ませることによりファクタＫはさらに増大する。上糸輪が前記糸通路を通過した後、上糸緊張力はほぼゼロに低下する。天秤１４は、この上糸緊張力が部位３０で完全に最小化されるまで、糸輪をさらに小さくさせる。そこに至る途上で、それまで刺繍布上にフラットに横たわっていた上糸部分３８は、自らの結び目３９での上糸の摩擦によって、刺繍布から突出する糸輪４０を形成する。この糸輪は時間範囲３０において天秤（上死点）まで再び引き込まれねばならない。これは針穴に対する上糸糸部分４１が急傾斜であればあるほどうまくいき、その際に刺繍布の表面を離れる。この傾斜はこの時点までに進んだ刺繍布の搬送距離（グラフ２１によれば、すでにステッチ長さの７５％におよんでいる）とともに三角法の法則性に従って減少する。使用する上糸の摩擦値によっては、最大ステッチ長さまで糸輪４０の確実な引き込みが可能である。
【００３４】
図４および図５に対する説明から明らかなように、必要とする糸緊張力を増大させるのは、停止部材３５と溝３４の側部境界面３６との間での糸の通過がすでに始まっている現在進行中の刺繍布の送り運動の最中に行われるからである。これは、ルーパーまたはステッチ形成の作動と刺繍布の搬送または送り装置の作動とが時間的にオーバーラップしている結果生じる。
【００３５】
従って、天秤１４により刺繍フレームの送り運動を上糸が上方へ引張られる時間範囲へ早めると、糸緊張力が増大することは避けられない。しかしこれは刺繍機の場合望ましいことではない。
【００３６】
図３に本発明のケースに対応させて示したステッチ形成工具の運動を示すグラフは、本縫いルーパー２の運動と、これに依存している、糸需要量および糸解放を示すグラフ２６，２８，２９を除けば、図２のグラフに対応している。
【００３７】
本縫いルーパーがたとえばｎ＝３で回転することにより、ステッチ形成は、刺繍機上軸の回転角に関して、これによって生じる本縫いルーパーのより大きな角速度に対応して、ｎ＝２で本縫いルーパーが回転する場合よりもより早期に行われる。このことは、本縫いルーパー２による糸輪の解放が、刺繍機上軸の回転角に関して、２倍回転する本縫いルーパーの場合よりも早期の時点で行われることを意味しており、従って本縫いルーパーによる糸輪解放を表わしている時点２７は図２のグラフでのその位置に比べて図３のグラフでは左側へずれている。
【００３８】
従って、上糸と下糸とによって形成される輪を引き込むための天秤１４の運動を、刺繍機上軸の回転角に関して、適宜より速い時点で導入することができ、その結果対応的に天秤１４はその運動軌道の上死点（ＯＴ）により早く到達することができ、従ってステッチ形成は、刺繍機上軸の回転角に関して、対応的により早く終了する。すなわちステッチ形成と送りが時間的に早く終了する。その結果を図６に示す。図６は、天秤の上死点（ＯＴ）直前で、糸輪の残りが停止部材３５と溝３４の側部境界面３６との間の糸通路を通過した時の糸輪の状況を示したものである。この場合に糸が克服すべき抵抗は、回転ルーパーを使用した時にシステムによって生じる最小糸力（緊張力）である。
【００３９】
図４と図５を比較すると、穿刺板での糸転向部と、刺繍布での糸転向部と、針へ向かっている糸輪脚部での糸転向部とはもはや存在していない。従って、糸転向部がないために、大きな摩擦力も必要なく、よって従来のように最小糸力に比べて糸抑止力をファクタ２．５ないし４だけ大きくさせる必要がない。このように本発明によれば、ステッチ形成の機能が確実であるために、システムによって生じる最小緊張力よりもわずかに大きな糸緊張力でルーパー型刺繍機の作動が可能になる。
【図１】
2013521957.tif 000003
【図２】
2013521957.tif 000004
【図３】
2013521957.tif 000005
【図４】
2013521957.tif 000006
【図５】
2013521957.tif 000007
【図６】
2013521957.tif 000008
【手続補正書】
【提出日】平成24年11月27日(2012.11.27)
【手続補正１】
【補正対象書類名】明細書
【補正対象項目名】全文
【補正方法】変更
【補正の内容】
【発明の詳細な説明】
【技術分野】
【０００１】
本発明は、ステッチ形成用の本縫い（ダブルロックステッチ）ルーパーと協働する糸案内針によってそれぞれ形成されるステッチ形成工具と、前記針の運動に依存して行われる刺繍物と前記ステッチ形成工具との間の相対運動を生じさせる送り装置とを有している単頭または多頭刺繍機に関するものである。
【背景技術】
【０００２】
この場合に使用される本縫いルーパーは、１回のステッチ形成周期ごとに完全に２回転する回転ルーパーであり、ミシンにおいてスタンダードルーパーとして多用されているもので、非常に優れたものである。この本縫いルーパーはステッチ形成のために、特にステッチインサーションのためにある程度の糸緊張力を必要とする。
【０００３】
１回のステッチ形成周期ごとに２回完全回転し、従って１回のステッチ形成ごとに２倍回転する本縫いルーパーを使用することは、ミシンではたとえば特許文献１から知られている。
【０００４】
ここに開示されているミシンは、公知の態様で、基板とスタンドとアームとを有し、アームはヘッド内に終端を有している。アーム内には上軸が支持され、上軸はヘッド内を上下動し糸案内針を担持している針棒と駆動結合している。
さらに、ヘッド内には公知の態様で、針と協働し、上下運動を実施する天秤が支持されている。天秤も上軸によって駆動される。上軸は、ベルト伝動装置または機械的伝動装置を介して、ミシンの基板で支持されるルーパー駆動軸と駆動結合してこれを１：２の比率で駆動し、その結果ルーパーは１回のステッチ形成周期ごとにそれぞれ２回転し、この場合それぞれ第１回目の回転は針糸輪の検知と拡開に用いられるのに対し、それぞれ２回目の回転はステッチ形成に影響しない「空回転」である。
【０００５】
縫製される縫い目（縫製縫い目）および刺繍される縫い目（刺繍縫い目）に対する課題が異なっていることにより、ミシンに対する要請または刺繍機に対する要請の点で主要な相違がある。縫製縫い目はほとんどの場合２つまたはそれ以上の部分を互いに結合させる結合縫い目または固定縫い目であるが、刺繍縫い目は、力を全く伝達させる必要がないように刺繍布に取り付けられる装飾（装飾縫い目）である。
【０００６】
この場合、固定縫い目の強度は、ルーパーから垂れ下がっている糸輪を天秤により比較的大きな力で縫製物の表面方向へ引張ることで、上糸と下糸との結び目を被縫製物の層の中央に位置させることによって達成される。これに対応して下糸の糸力が測定される。
【０００７】
刺繍縫い目を形成する際の状況はこれとは全く異なっている。この場合には、上糸（刺繍糸）は装飾効果を得るために刺繍物上にきれいに載っている必要があるので、刺繍糸が刺繍布上で位置的に十分固定され、それにもかかわらずたるんだ糸部分が生じないように、且つ上糸と下糸との結び目が常に刺繍布の下面に位置するように、刺繍過程時の糸緊張力はできるだけ小さく保持される。
【０００８】
この理由から、刺繍機に対しては、上糸の緊張力がかなり小さくなるよう努力がはらわれる。
【０００９】
１回の刺繍形成周期ごとに２回転する本縫いルーパーを刺繍機に転用する際にその運動学を対応的に適合させなかったために、実際の刺繍機でも、刺繍形成過程がまだ完全に終了していない時点ですでに刺繍布の送り運動を投入する。これはきわめて不都合なことである。というのは、これによって、天秤による糸引き込み開始時点ですでに、針を刺繍布に穿刺する際の位置に比べて刺繍布がかなりの量ずれてしまうからである。その結果糸輪の、刺繍穴から糸備蓄部に至る脚部は、刺繍穴から出る場合も、刺繍布を貫通した直後にも、それぞれ付加的な転向を蒙る。これら２度の転向は天秤によって糸を引き込む際に付加的な抵抗を生じさせて、糸緊張最小力を必ず大きくさせるので望ましいものではない。
【００１０】
このような状況は、刺繍機がミシンに比べて一般に著しく大きなステッチ長さで作動する場合、および、送り方向が種々の方向に延びている場合ほど特に悪影響を及ぼす。
【先行技術文献】
【特許文献】
【００１１】
【特許文献１】独国特許第４２１７８４８Ｃ１号明細書
【発明の概要】
【発明が解決しようとする課題】
【００１２】
本発明の課題は、本縫い回転ルーパーを備えた刺繍機において、最小糸緊張力を所望の著しく低い範囲に保持することができるような解決手段を提供することである。
【課題を解決するための手段】
【００１３】
本発明は、本縫いルーパー刺繍機において、ステッチ形成がまだ完全に終わっていないときに、すなわち上糸が天秤によってまだ完全に引き込まれていないときに、すでに縫製物の送り運動が投入されるようにステッチ形成と縫製物の送り運動とが少なくとも部分的にオーバーラップするという認識から出発している。
【００１４】
前記課題を解決するため、ｎを２よりも大きな整数としたとき、本縫いルーパーを上軸のｎ倍の回転数に相当する回転数で回転させることで、ステッチ形成段階と刺繍物の送り運動との時間的なオーバーラップを回避することを提案する。
【００１５】
本縫いルーパーがたとえばｎ＝３で回転することにより、ステッチ形成は、刺繍機上軸が路破する回転角に関し、これによって本縫いルーパーの比較的大きな角速度が生じるために、ｎ＝２で本縫いルーパーが回転する場合よりも早く終了する。従って、ステッチ形成と刺繍布の送り運動とが同時にアクティブであるタイムウィンドウは最小になる。
【００１６】
１回のステッチ形成周期で２倍回転する本縫いルーパーは、高回転数のいわゆる高速縫いの分野で確実に満足のいく結果を生じさせるので、本発明に従って本縫いルーパーの回転数を増大させても、生じた縫い目の品質にも、機械的な保持性にも悪影響しないことは明らかである。
【００１７】
上述の解決手段では、本縫いルーパーは刺繍機上軸のｎ倍の一定の回転数で回転するのに対し、前記課題を解決するための本発明の他の解決手段によれば、本縫いルーパーを、刺繍機能を軸に対し周期的に変更可能な角速度で回転させる。この場合、作動回転中の本縫いルーパーの角速度は大きな値を有し、空回転中はこれよりも小さな値を有している。
【図面の簡単な説明】
【００１８】
次に、本発明を１実施形態に関し適当にグラフを用いて詳細に説明する。
【図１】本縫いルーパーを備えた通常の刺繍ヘッドの前部領域の部分断面図である。
【図２】ステッチ形成のためのタイムウィンドウと送り運動のためのタイムウィンドウとが時間的にオーバーラップしている、技術水準によるステッチ形成工具の運動と送り装置の運動との距離・時間グラフである。
【図３】本発明によるテッチ形成工具の運動と送り装置の運動との距離・時間グラフである。
【図４】技術水準による図２のタイムウィンドウ３１に対応する、本縫いルーパーのボビンケース担持体の回転支持部材（停止部材）を通過する際の糸輪の状況を説明する図である。
【図５】図４に対応する図であるが、刺繍フレームの送り運動が他の方向であるケースの図である。
【図６】本発明による図３のタイムウィンドウ３１に対応する、本縫いルーパーのボビンケース担持体の回転支持部材（停止部材）を通過する際の糸輪の状況を説明する図である。
【発明を実施するための形態】
【００１９】
図１には、通常の刺繍ヘッドの前部部分１が断面図で図示されている。この前部部分は、本縫いルーパー２と、テーブル板３と、針板４とを有している。テーブル板３上には、２つの軸線上を自在に運動可能な刺繍フレーム５が載置され、該刺繍フレームに刺繍布が締め付け固定される。本縫いルーパー２は通常の構成であり、ボビンケース７を受容するためのボビンケース担持体６を有している。ボビンケース７内には、下糸貯留部を受容するボビンが回転可能に支持されている。
【００２０】
本縫いルーパー２と協働し、針８を担持している針棒９は、鉛直方向に運動可能にベースフレーム１０内に受容され、針駆動部の駆動運動を針棒９に伝達させる駆動体１１によって公知の態様で駆動される。刺繍ヘッドの前部部分１には、さらに、刺繍糸ごとに１つの押さえ１２が設けられている。押さえは針棒９上に変位可能に配置され、駆動体１３によって駆動される。さらに、刺繍ヘッドの前部部分１には、公知の態様で駆動される天秤１４が配置されている。天秤は軸１５上に回動可能に支持され、軸１５はベースフレーム１０で受容されている。最後に刺繍ヘッドは、公知の態様で調整可能で、前部部分１に固設されている糸制動部１６を有している。
【００２１】
詳細に図示していない刺繍ヘッドの後部部分は機台と固定結合され、針棒９、押さえ１２、天秤１４のための駆動部を担持している。刺繍ヘッドの後部部分は、さらに、詳細に図示していない直線案内部を介して前部部分と結合され、その結果前部部分は、鉛直方向の面内において針棒９の整列方向に本縫いルーパー２の上方で変位することができ、その際１つの針棒９と１つの押さえ１２と１つの天秤１４とはそれぞれの駆動部と結合されている。
【００２２】
前記部材の駆動は、本縫いルーパー２の駆動部以外は、ステッチ形成周期ごとに完全に１回転する（３６０゜回転する）刺繍機上軸（図示せず）によって行われる。技術水準では、本縫いルーパー２は２倍の回転数（ｎ＝２）で回転するが、本発明によれば、本縫いルーパー２はｎ＝整数（２よりも大きな整数）で回転する。このため、本発明の図示した実施形態では、刺繍機上軸と本縫いルーパー２との間に、伝動比ｎ＝３の伝動装置が設けられている。
【００２３】
本発明の理解のため、まず図２を説明する。図２は、技術水準に従って２倍回転する本縫いルーパー２および図示していない送り装置並びに押さえ１２と針８との公知の運動学的協働と刺繍機上軸の１回転との関係を示す典型的な運動プログラムを示している。
【００２４】
グラフ１７は、針板の表面に対する針８の先端の運動を示している。針先端は時点１８でステッチ穴を通じて針板４の表面の下へ進入して、時点１９で再びその上へ持ち上げられる。
【００２５】
グラフ２０は、昇降運動と、針板４上方の押さえ１２の下面の間隔とを示している。
【００２６】
グラフ２１は、時点１８での刺繍布への最後の穿刺点に対する刺繍フレーム運動の経過を示している。
【００２７】
刺繍フレームの運動のスタートは時点２２で行われ、従って針８が針板４から出る時点に相当する時点１９の直後に行われる。刺繍フレームの運動の終了はグラフの終端と一致している。この運動関数のすべての値は、可変ステッチ長さ（最後の穿刺点１８から次の穿刺点までの間隔）を用いて一定のファクタとして直線状にスケーリングされている。
【００２８】
グラフ２３は針８の糸需要量を示し、その穴が下方へ移動して刺繍布表面に進入する時点２４で始まる。時点２５では、本縫いルーパー２の先端が針８によって形成される上糸をのなかへ進入し、これにより本縫いルーパー２は上糸をコントロールする用を成す。本縫いルーパーの糸需要量はグラフ２６によって示されている。本縫いルーパー２の先端はまず針８によって該本縫いルーパーに提供される糸輪を拡大させ、これを本縫いルーパー２の内部に配置されているボビンケース７のまわりに案内する。その後、ルーパーが時点２７で上糸を再び完全に解放するまで、本縫いルーパー２の糸需要量は再び減少する。すなわち本縫いルーパー２は、時点２５と時点２７との間の時間だけ上糸と接触する。これは３６０゜のステッチ形成周期の最大で１８０゜に相当し、残りの時間は本縫いルーパー２は空動きをし、すなわち本縫いルーパー２は次のステッチ形成周期でようやく上糸と接触する。
【００２９】
針８および本縫いルーパー２の糸需要量には、グラフ２８で示すような糸供給量が対立している。糸供給量は天秤１４の軸１５のまわりでの該天秤の回動位置の関数である。グラフ２８に対応する糸供給量は、糸需要量（２３，２６）に比べて過剰量を有している。この過剰量は、ステッチ長さに依存している糸消費量を前回のステッチサイクルから取り出すためのリザーブとして用いる。
【００３０】
糸供給量２８は前記糸消費量の分だけ少なくなっており、その結果有効糸供給量はグラフ２９と一致している。前記糸消費量は時点３０と天秤上死点ＦＨＯＴとの間の時間範囲で初めて天秤１４によって上糸備蓄部から引き出され、その際システム糸長（糸制動部１４から穿刺板４までの上糸の全長）は天秤１４の最高回動位置で再び新たに補償される。
【００３１】
ミシンのグラフとの相違は、刺繍フレームを運動させるためのタイムウィンドウの長さに関わる。ミシンの場合、タイムウィンドウはほぼ１２０゜である。ルーパー型刺繍機の場合は１８０゜およびそれ以上の場合もある。それ故、時点２２での刺繍機の運動開始時点は、技術水準の場合対応的に時間的に先行している。このことは、刺繍機構とは独立の、数値制御される刺繍フレーム駆動部には必要な要件であるが、必要とする糸緊張力に関しては、無視できない刺繍技術上の欠点である。
【００３２】
開始したステッチを完了させるために、天秤１４による糸引き込みの終了時点よりも時間的に以前に刺繍フレームの送り運動の開始時点を時間的に先行させると、糸引き込みが終了する前に刺繍布が穿刺板４に対し相対的に移動することになる。
【００３３】
図４に認められるように、ボビンケース担持体６の回転運動を阻止するため、該ボビンケース担持体には半径方向に配向される溝３４が設けられている。この溝には、突起を備えた停止部材３５が係合し、その結果上糸は停止部材３５と溝３４の側部境界面３６との間を通って運動することができる。ステッチ長さが２ｍｍ以上の場合、時点１８で針８の最後の穿刺点が刺繍布の移動によりグラフ２１に従って時間範囲３１で穿刺穴中心に対し１ミリメートル以上ずれると、天秤１４と溝３４と停止部材３５との間の経路上で上糸の２つの転向部３２，３３（図４）が生じる。刺繍布上方の上糸の領域で天秤１４のほうへ向けられる糸力Ｆ１は、まず転向部３２で、次に転向部３３で、全部で２段階で糸摩擦により減少する。残りは力Ｆ２である。力Ｆ２は、停止部材３５と溝３４の側部境界面３６との間の糸通路を開くために必要な力である。
【００３４】
力Ｆ２の大きさはステッチ形成プロセスによって設定されており、それ故変更不可能である。この力がシステムによって設定された値に再び達するようにするには、好ましい材料ペアリングで糸力Ｆ１をほぼ２．５のファクタＫでもって増大させねばならない。好ましくない材料ペアリングの場合（木綿糸／木綿から成る刺繍布）、このファクタＫは値４の傾向がある。このように高い糸力Ｆ１は天秤１４による糸引き込み時の糸制動部１６の最小抑止力に相当している。
【００３５】
図５には、天秤１４が糸輪を引き寄せて、停止部材３５の突起と溝３４の側部境界面３６との間の糸通路を開くタイムウィンドウ３１の状況が示されている。この場合、刺繍布の送り運動は図４での刺繍布の送り運動に比べて方向が逆であり、図５の矢印の方向に行われる。これは、縫製または刺繍を行う際にいわゆるループスレッドが生じる状況にほぼ相当している。この場合、上糸は下糸３７と絡むばかりでなく、自らとも絡む。ミシンの場合にはこの搬送方向および状況はほとんど生じない。
【００３６】
しかしながら、ルーパー型刺繍機の場合にはこれは通常的に生じる。糸転向部３２で集中的に絡ませることによりファクタＫはさらに増大する。上糸輪が前記糸通路を通過した後、上糸緊張力はほぼゼロに低下する。天秤１４は、この上糸緊張力が部位３０で完全に最小化されるまで、糸輪をさらに小さくさせる。そこに至る途上で、それまで刺繍布上にフラットに横たわっていた上糸部分３８は、自らの結び目３９での上糸の摩擦によって、刺繍布から突出する糸輪４０を形成する。この糸輪は時間範囲３０において天秤（上死点）まで再び引き込まれねばならない。これは針穴に対する上糸糸部分４１が急傾斜であればあるほどうまくいき、その際に刺繍布の表面を離れる。この傾斜はこの時点までに進んだ刺繍布の搬送距離（グラフ２１によれば、すでにステッチ長さの７５％におよんでいる）とともに三角法の法則性に従って減少する。使用する上糸の摩擦値によっては、最大ステッチ長さまで糸輪４０の確実な引き込みが可能である。
【００３７】
図４および図５に対する説明から明らかなように、必要とする糸緊張力を増大させるのは、停止部材３５と溝３４の側部境界面３６との間での糸の通過がすでに始まっている現在進行中の刺繍布の送り運動の最中に行われるからである。これは、ルーパーまたはステッチ形成の作動と刺繍布の搬送または送り装置の作動とが時間的にオーバーラップしている結果生じる。
【００３８】
従って、天秤１４により刺繍フレームの送り運動を上糸が上方へ引張られる時間範囲へ早めると、糸緊張力が増大することは避けられない。しかしこれは刺繍機の場合望ましいことではない。
【００３９】
図３に本発明のケースに対応させて示したステッチ形成工具の運動を示すグラフは、本縫いルーパー２の運動と、これに依存している、糸需要量および糸解放を示すグラフ２６，２８，２９を除けば、図２のグラフに対応している。
【００４０】
本縫いルーパーがたとえばｎ＝３で回転することにより、ステッチ形成は、刺繍機上軸の回転角に関して、これによって生じる本縫いルーパーのより大きな角速度に対応して、ｎ＝２で本縫いルーパーが回転する場合よりもより早期に行われる。このことは、本縫いルーパー２による糸輪の解放が、刺繍機上軸の回転角に関して、２倍回転する本縫いルーパーの場合よりも早期の時点で行われることを意味しており、従って本縫いルーパーによる糸輪解放を表わしている時点２７は図２のグラフでのその位置に比べて図３のグラフでは左側へずれている。
【００４１】
従って、上糸と下糸とによって形成される輪を引き込むための天秤１４の運動を、刺繍機上軸の回転角に関して、適宜より速い時点で導入することができ、その結果対応的に天秤１４はその運動軌道の上死点（ＯＴ）により早く到達することができ、従ってステッチ形成は、刺繍機上軸の回転角に関して、対応的により早く終了する。すなわちステッチ形成と送りが時間的に早く終了する。その結果を図６に示す。図６は、天秤の上死点（ＯＴ）直前で、糸輪の残りが停止部材３５と溝３４の側部境界面３６との間の糸通路を通過した時の糸輪の状況を示したものである。この場合に糸が克服すべき抵抗は、回転ルーパーを使用した時にシステムによって生じる最小糸力（緊張力）である。
【００４２】
図４と図５を比較すると、穿刺板での糸転向部と、刺繍布での糸転向部と、針へ向かっている糸輪脚部での糸転向部とはもはや存在していない。従って、糸転向部がないために、大きな摩擦力も必要なく、よって従来のように最小糸力に比べて糸抑止力をファクタ２．５ないし４だけ大きくさせる必要がない。このように本発明によれば、ステッチ形成の機能が確実であるために、システムによって生じる最小緊張力よりもわずかに大きな糸緊張力でルーパー型刺繍機の作動が可能になる。
【国際調査報告】
2013521957.tif 000009
2013521957.tif 000010
2013521957.tif 000011
2013521957.tif 000012
2013521957.tif 000013
2013521957.tif 000014
2013521957.tif 000015
2013521957.tif 000016
2013521957.tif 000017
2013521957.tif 000018